(57)【要約】【課題】輸送と、搬出入とを容易にすることができるだけでなく、設置にあたって、位置決めが容易であり、汎用性が高く、また、排気ガスを排気するための配管が目立たず、外観をシンプルなものにすることができる安価な囲炉裏構造を提供する。【解決手段】熱源１と熱源１の受け材２とを保持可能な上方開口かつ有底の熱源保持部３と、熱源保持部３を入れ子式に保持する上方開口の側壁構造４と、熱源保持部３の開口３ａの周囲を取り囲むように設けられた概ね平らな上面５ａを有する食卓部５とを備え、熱源保持部３と、側壁構造４と、食卓部５とは、それぞれ着脱可能に設けられるとともに、側壁構造４は、高さの異なる側壁構造４を選択可能とすることにより、熱源保持部３の高さ調節を可能とした。【選択図】      図１
2004354029.tif 000002
【特許請求の範囲】
【請求項１】
熱源と熱源の受け材とを保持可能な上方開口かつ有底の熱源保持部と、
上記熱源保持部を入れ子式に保持する上方開口の側壁構造と、
上記熱源保持部の開口の周囲を取り囲むように設けられた概ね平らな上面を有する食卓部とを備え、
上記熱源保持部と、側壁構造と、食卓部とは、それぞれ着脱可能に設けられるとともに、
上記側壁構造は、高さの異なる側壁構造を選択可能とすることにより、熱源保持部の高さ調節を可能としたものであることを特徴とする囲炉裏構造。
【請求項２】
上記側壁構造の下方において側壁構造に着脱可能に設けられ、この側壁構造を保持する床部と、
上記床部の側方もしくは周囲に設けられる少なくとも一つの座部を備え、
上記床部は、上記座部と着脱可能に取り合うものであることを特徴とする請求項１記載の囲炉裏構造。
【請求項３】
上記床部と、座部との下方には概ね水平な面上においてそれぞれの位置を変更可能なキャスタが設けられていることを特徴とする請求項１もしくは請求項２のいずれかに記載の囲炉裏構造。
【請求項４】
上記熱源保持部の上方に設けられ、排気ガスを回収する排気ガス回収部を有するフードと、
フードを上記側壁構造に支持する支柱とを備え、
上記支柱は、フードの排気ガス回収部に開口する上部開口端と、排気装置に接続される排気口端と、これら上部開口端と排気口端とを連通する管腔部とを有していることを特徴とする請求項１ないし請求項３のいずれかに記載の囲炉裏構造。
【発明の詳細な説明】
【０００１】
【発明の属する技術分野】
本発明は、例えは炭火のような熱源とこの熱源の受け材とを保持可能な熱源保持部を備えた囲炉裏構造に関するものである。
【０００２】
【従来の技術】
例えば炭火のような熱源と熱源の受け材とを保持可能な熱源保持部を備えた囲炉裏構造として、熱源保持部を入れ子式に保持する上方開口の側壁構造と、熱源保持部の開口の周囲を取り囲むように設けられた食卓部とを備えたものが一般に知られている。
【０００３】
このような囲炉裏構造は、最近、囲炉裏を囲んでの茶会、食事、団欒を楽しむことが嗜好される時世にあって、店舗営業用は然ることながら、一般家庭にも設置されることが多くなっている。
【０００４】
このような店舗営業用あるいは一般家庭用の囲炉裏構造においては、これら熱源保持部と、側壁構造と、食卓部とは、従来、一体に形成された状態で製作され、取り扱われることが多かった。
【０００５】
また、囲炉裏構造が設置される場所が和式か洋式かの違いなどを考慮して、囲炉裏構造に併設される床部や座部を含めた設計がなされるのが一般的であった。
【０００６】
さらに、従来の囲炉裏構造においては、排気ガスを回収する排気ガス回収部を有するフードが、熱源保持部の上方に設けられ、このフードを支持する支持構造と、排気ガスをフードの排気ガス回収部から排気装置に導くダクトや配管が囲炉裏構造とは別に設けられるのが一般的であった。
【０００７】
【発明が解決しようとする課題】
しかしながら、上述の従来の囲炉裏構造では、熱源保持部と、側壁構造と、食卓部とが、一体に形成された状態で製品化されているので、全体として大型になり、輸送と、搬出入など、取り扱いが困難となっていた。また、囲炉裏構造の設置にあたって、位置決めが容易でないという問題があった。
【０００８】
そして、囲炉裏構造が設置される場所が和式か洋式かの違いなどを考慮して、囲炉裏構造に併設される床部や座部を含めた設計がなされるので、同じ囲炉裏構造がどのような場所にでも適用することができるわけではなく、完成された囲炉裏構造の汎用性が低かった。
【０００９】
このように、用途に応じた目的、規模を満たす設備は大掛かりなものになり、費用が嵩むという問題点があった。
【００１０】
さらに、排気ガスを排気するためのダクトや配管が目立つために、囲炉裏構造の外観が雑然としたものになり、美観上好ましくないという不具合があった。
【００１１】
本発明は上記不具合に鑑みてなされたものであり、囲炉裏構造の輸送と、搬出入とを容易にすることができるだけでなく、床部と座部とを含めた囲炉裏構造の設置にあたって、床部と座部との位置決めが容易であり、また同じ囲炉裏構造がどのような場所にでも適用することができるなど、汎用性が高く、かつ排気ガスを排気するための配管が目立たず、囲炉裏構造の外観をシンプルなものにすることができる安価な囲炉裏構造を提供することを課題としている。
【００１２】
なお、本願に記載する囲炉裏構造は、上述の囲炉裏構造の従来技術のいずれにも該当せず、出願人の知る限りでは本願出願に類する公知例が無いため、本出願の時点では開示すべき先行技術文献情報は保有していない。
【００１３】
【課題を解決するための手段】
本発明の好ましい態様は、熱源と熱源の受け材とを保持可能な上方開口かつ有底の熱源保持部と、上記熱源保持部を入れ子式に保持する上方開口の側壁構造と、上記熱源保持部の開口の周囲を取り囲むように設けられた概ね平らな上面を有する食卓部とを備え、上記熱源保持部と、側壁構造と、食卓部とは、それぞれ着脱可能に設けられるとともに、上記側壁構造は、高さの異なる側壁構造を選択可能とすることにより、熱源保持部の高さ調節を可能としたものであることを特徴とする囲炉裏構造である。
【００１４】
本発明によれば、熱源保持部と、側壁構造と、食卓部とが、それぞれ着脱可能に設けられるので、本発明に係る囲炉裏構造をこれらの部分に分割することができる結果、囲炉裏構造の輸送と、搬出入とを容易にすることができる。
【００１５】
また、側壁構造については、純和式用、やや高めの半座用、洋式の腰掛け用など、様式に応じて何種類か用意された高さの異なる側壁構造を選択して熱源保持部の高さ調節をすることができ、汎用性の高い囲炉裏構造とすることができる。
【００１６】
このように、本発明によれば、同じ囲炉裏構造をどのような場所にでも設置したり、好みに応じて用意された部品を自由自在に組み合わせることが可能である結果、営業設備、一般住宅設備、設置型、作り付け型いずれの場合にも適用できる普及型として汎用性の高い囲炉裏構造とすることができる。
【００１７】
また、設計費、製作費、輸送費、工事費等、製造と設置に係る費用を大幅に削減することができるだけでなく、設備の配置替え、模様替えなどの際にも必要に応じた部分的な変更が可能であるなど、全体として安価な囲炉裏構造とすることができる。
【００１８】
本発明において、上記囲炉裏構造は、上記側壁構造の下方において側壁構造に着脱可能に設けられ、この側壁構造を保持する床部と、上記床部の側方もしくは周囲に設けられる少なくとも一つの座部を備え、上記床部は、上記座部と着脱可能に取り合うものであることが好ましい。
【００１９】
この好ましい態様によれば、囲炉裏構造において、側壁構造の下方において側壁構造に着脱可能に設けられ、側壁構造を保持する床部が、床部の側方もしくは周囲に設けられる少なくとも一つの座部と着脱可能に取り合うので、床部と座部とを含めた囲炉裏構造の輸送と、搬出入とを容易にすることができる。
【００２０】
また、必要に応じて座部の代わりに既製品の椅子を採用することも可能であり、導入のための費用を節約することも可能である。
【００２１】
ここで、本発明において、上記床部と、座部との下方には概ね水平な面上においてそれぞれの位置を変更可能なキャスタが設けられていることが好ましい。
【００２２】
この好ましい態様によれば、床部と、座部との下方に設けられたキャスタにより、概ね水平な面上において、床部と、座部との位置を変更することができるので、床部と座部とを含めた囲炉裏構造の設置にあたって、床部と座部との位置決めが容易になる。
【００２３】
また、上記囲炉裏構造は、上記熱源保持部の上方に設けられ、排気ガスを回収する排気ガス回収部を有するフードと、フードを上記側壁構造に支持する支柱とを備え、上記支柱は、フードの排気ガス回収部に開口する上部開口端と、排気装置に接続される排気口端と、これら上部開口端と排気口端とを連通する管腔部とを有していることが好ましい。
【００２４】
この好ましい態様によれば、囲炉裏構造の熱源保持部で発生する排気ガスは、フードの排気ガス回収部により回収され、上部開口端から管腔部と、排気口端とを経て排気装置に排気されるが、これら上部開口端と、管腔部と、排気口端とはフードを側壁構造に支持する支柱に設けられるので、排気のための配管を別途設ける必要がない。その結果、囲炉裏構造の外観をシンプルなものにすることができて美観上好ましい。
【００２５】
【発明の実施の形態】
以下、添付図面を参照しながら本発明の好ましい実施の一形態について詳述する。図１は本発明の実施の形態に係る囲炉裏構造１０の全体の構成を示す分解斜視図であり、図２は本発明の実施の形態に係る囲炉裏構造１０のフード８を除く部分の構成を示す分解斜視図である。
【００２６】
図１、図２を参照して、図示の本発明の実施の形態に係る囲炉裏構造１０は、例えば炭火のような熱源１と熱源１の受け材２とを保持可能な熱源保持部３と、熱源保持部３を入れ子式に保持する側壁構造４と、食卓部５と、側壁構造４を保持する床部６と、床部６の側方もしくは周囲に設けられる少なくとも一つの座部７とを備えている。また、この囲炉裏構造１０は、熱源保持部３の上方にフード８と、フード８を上記側壁構造４に支持する支柱９とを備えている。
【００２７】
上記熱源１は、熱を発生して、囲炉裏構造１０で加熱調理に用いられるものであり、木炭、練炭、豆炭等の可燃物の熱源あるいは、ガスコンロなどの熱源が用いられる。
【００２８】
上記熱源１の受け材２は、上記熱源１を受けて保持するとともに、熱源１で発生する熱の下方、側方への伝達を緩衝させるために用いるものであり、煉瓦やモルタルで囲んだワラ灰等の灰や砂あるいは、セラミック材などの耐熱性の断熱材料から構成される。
【００２９】
上記熱源保持部３は、熱源１と熱源１の受け材２とを保持可能な上方開口かつ有底の矩形容器であり、鉄板、銅板などの金属板もしくは、その他の耐熱性の構造材料から形成されている。また、この熱源保持部３の開口３ａの近傍の内面には輸送や搬出入の際に、熱源保持部３を吊り上げるための吊り具３ｂ（図２）が設けられているが、この吊り具３ｂは、熱源１の受け材２を熱源保持部３に受け入れると外部からは見えなくなるようになっている。
【００３０】
そして、この熱源保持部３は、ボルト３ｃ（図２）により後述する食卓部５の下面に対して着脱自在に取り付けられる。
【００３１】
上記側壁構造４は、図２に示すように上記熱源保持部３を入れ子式に保持する上方開口の矩形筒状の外殻構造であり、木製の柱材からなる柱部４ａと木製の板材などからなる壁部４ｂとを組み合わせて構成されている。
【００３２】
この側壁構造４は、囲炉裏構造１０が設置される場所が和式か洋式かの違いなどを考慮して、何種類か用意された高さの異なる側壁構造４を選択可能とすることにより、熱源保持部３の高さ調節を可能にしている。
【００３３】
なお、熱源保持部３は、側壁構造４で入れ子式に保持する代わりに、図示しないが、直接に家屋の床や座敷に開けられて熱源保持部３を受け入れ可能な矩形の開口部に嵌め込むことにより、そのまま床や座敷の高さと同じ高さに設けられた囲炉裏構造１０として用いることも可能である。
【００３４】
上記食卓部５は、熱源保持部３の開口３ａの周囲を取り囲むように矩形に設けられた概ね平らな上面５ａの上に食器その他の物品、食品を載置して飲食に供するものであり、木材の板材を組み合わせて構成されている。
【００３５】
上記床部６は、側壁構造４の下方において図略の連結手段により側壁構造４に着脱可能に設けられ、この側壁構造４を保持するものであり、厚手の木材からなる板材もしくは合板を組み合わせて構成されている。
【００３６】
上記座部７は、床部６の側方もしくは周囲に少なくとも一つ設けられて、囲炉裏構造１０の利用者の座席を形成するものである。本実施形態では、和式の比較的低い座席が、１方向あたり各２人分ずつ、４方向計８人分の座部７が１つの囲炉裏構造１０に設けられている。
【００３７】
なお、この座部７は、和式の比較的低い座席の代わりに側壁構造４の高さに合わせて洋式の椅子として構成することも可能である。
【００３８】
また、図２に示すように、床部６と座部７とは、それぞれに設けられた溝部６ａ、７ａに連結具６ｂを挿入した上、ボルト６ｃ、７ｂを床部６と連結具６ｂと座部７とにそれぞれ設けられた固定孔６ｄ、６ｅ、７ｃに挿通することにより、床部６と座部７とが、着脱可能に取り合うことができるように構成されている。さらに、それぞれの座部７同士も同様の連結具６ｂでコーナー部材７ｆを介して相互に取り合うことができるようになっている。
【００３９】
また、上記床部６と、座部７との下方にはキャスタ６ｆ、７ｄが設けられており、概ね水平な面上においてそれぞれの位置を変更することができるようになっている。
【００４０】
そして、このキャスタ６ｆ、７ｄにはアジャスタ６ｇ、７ｅが付設されており、一旦設置場所が選択されたならば、このアジャスタ６ｇ、７ｅにより、囲炉裏構造１０が変位しないように位置決めされる。
【００４１】
上記フード８（図１）は、熱源保持部３の上方に設けられた傘状の部材であり、熱源１から発生する一酸化炭素、二酸化炭素、その他、あるいは食材から発生するガス状物質を回収する排気ガス回収部８ａを有している。本実施形態では、フード８の外部８ｂは、和風の様式に合わせて竹または檜皮葺きなど、日本の家屋の屋根を模した形状に形成されている。
【００４２】
上記支柱９は、フード８を上記側壁構造４に支持するための部材であるが、管状に形成され、フード８の排気ガス回収部８ａに開口する上部開口端９ａと、側壁構造４に設けられた支持孔４ｃと排気口４ｄとを介して図略の排気装置に接続される排気口端９ｂと、これら上部開口端９ａと排気口端９ｂとを連通する管腔部９ｃとを有している。そして、熱源保持部３の熱源１から発生してフード８の排気ガス回収部８ａにより回収されたガス状物質を、上部開口端９ａから管腔部９ｃと、排気口端９ｂとを経て排気装置に排気することができるように構成されている。
【００４３】
この支柱９は、本実施形態では、美観を考慮して和風の様式に合わせて竹を模した形状に形成され、食卓部５に設けられた挿通孔５ｂを挿通させて側壁構造４に設けられた支持孔４ｃに嵌め込まれることにより、側壁構造４に着脱可能となっている。
【００４４】
次に図１〜図４を参照して、本発明の実施の形態に係る囲炉裏構造１０の作用について説明する。
【００４５】
まず、本発明に係る囲炉裏構造１０は、図１、図２に示したように熱源保持部３と、側壁構造４と、食卓部５と、床部６と、座部７と、フード８の支柱９とが、それぞれ着脱可能に設けられており、輸送や、搬出入の際には、囲炉裏構造１０は、それぞれの部分に分割されて取り扱われる。
【００４６】
この時、特に熱源保持部３については、開口３ａの近傍に設けられた吊り具３ｂを介して熱源保持部３が吊り上げることができ、ボルト３ｃにより食卓部５の下面に対して着脱自在に取り付けられる。
【００４７】
また、床部６と、座部７とについては、それぞれの下方に設けられたキャスタ６ｆ、７ｄにより、概ね水平な面上において、それぞれの位置を変更して、取り扱われ、それぞれに設けられた溝部６ａ、７ａに連結具６ｂを挿入した上、ボルト６ｃ、７ｂを床部６と連結具６ｂと座部７とにそれぞれ設けられた固定孔６ｄ、６ｅ、７ｃに挿通することにより、床部６と座部７とが、着脱可能に固定される。また、それぞれの座部７同士も同様の連結具６ｂでコーナー部材７ｆを介して相互に固定される。
【００４８】
次に、図３は、本発明の実施の形態に係る囲炉裏構造１０の排気の作用を示す斜視図である。同図に示すように、熱源保持部３の熱源１から発生するガス状物質は、まず、フード８の排気ガス回収部８ａにより回収され、次に上部開口端９ａから管腔部９ｃと、排気口端９ｂと、側壁構造４に設けられた支持孔４ｃと、排気口４ｄとを経て図略の排気装置に排気される。
【００４９】
そして、図４は、本発明の実施の形態に係る囲炉裏構造１０の側壁構造４の作用を示す斜視図である。同図に示すように、この囲炉裏構造１０においては、座部７は、和式の比較的低い座席の代わりに座席の高い洋式の椅子として構成されている。また、側壁構造４の高さも座部７に合わせて高く構成されている。
【００５０】
このように、囲炉裏構造１０に併設される座席が和式か洋式かの違いなどを考慮して、何種類か用意された高さの異なる側壁構造４からそれぞれの設置場所に適した高さの側壁構造４と、座部７とが選択され、熱源保持部３の高さが調節される。
【００５１】
以上説明したように、本発明の実施の形態に係る囲炉裏構造１０によれば、熱源保持部３と、側壁構造４と、食卓部５とが、それぞれ着脱可能に設けられるので、本発明に係る囲炉裏構造１０をこれらの部分に分割することができる結果、囲炉裏構造１０の輸送と、搬出入とを容易にすることができる。
【００５２】
次に、側壁構造４については、純和式用、やや高めの半座用、洋式の腰掛け用など、様式に応じて何種類か用意された高さの異なる側壁構造４を選択して熱源保持部３の高さ調節をすることができるので、同じ囲炉裏構造１０がどのような場所にでも設置することができる結果、汎用性の高い囲炉裏構造１０とすることができる。
【００５３】
このように、本発明によれば、同じ囲炉裏構造１０をどのような場所にでも設置したり、好みに応じて用意された部品を自由自在に組み合わせることが可能である結果、営業設備、一般住宅設備、設置型、作り付け型いずれの場合にも適用できる普及型として汎用性の高い囲炉裏構造とすることができる。
【００５４】
また、設計費、製作費、輸送費、工事費等、製造と設置に係る費用を大幅に削減することができるだけでなく、設備の配置替え、模様替えなどの際にも必要に応じた部分的な変更が可能であるなど、全体として安価な囲炉裏構造とすることができる。
【００５５】
また、囲炉裏構造１０において、側壁構造４の下方において側壁構造４に着脱可能に設けられ、側壁構造４を保持する床部６が、床部６の側方もしくは周囲に設けられる少なくとも一つの座部７と着脱可能に取り合うので、床部６と座部７とを含めた囲炉裏構造１０の輸送と、搬出入とを容易にすることができる。
【００５６】
また、必要に応じて座部７の代わりに既製品の椅子を採用することも可能であり、導入のための費用を節約することも可能である。
【００５７】
さらに、床部６と、座部７との下方に設けられたキャスタ６ｆ、７ｄにより、概ね水平な面上において、床部６と、座部７との位置を変更することができるので、床部６と座部７とを含めた囲炉裏構造１０の設置にあたって、床部６と座部７との位置決めが容易になる。
【００５８】
また、囲炉裏構造１０の熱源保持部３の熱源１で発生する排気ガスは、フード８の排気ガス回収部８ａにより回収され、上部開口端９ａから管腔部９ｃと、排気口端９ｂとを経て排気装置に排気されるが、これら上部開口端９ａと、管腔部９ｃと、排気口端９ｂとはフード８を側壁構造４に支持する支柱９に設けられるので、排気のための配管を別途設ける必要がない。その結果、囲炉裏構造１０の外観をシンプルなものにすることができて美観上好ましい。
【００５９】
上述した実施の形態は本発明の好ましい具体例を例示したものに過ぎず、本発明は上述した実施の形態に限定されない。
【００６０】
例えば、熱源１は、木炭、練炭、豆炭やガスコンロに限定されない。熱を発生して、加熱調理に用いられるものであれば、電熱器具も採用可能であるなど、種々の設計変更が可能である。
【００６１】
熱源１の受け材２も、煉瓦やモルタルで囲んだワラ灰等の灰や砂あるいはセラミック材に限定されない。熱源１を受けて保持するとともに、熱源１で発生する熱の下方、側方への伝達を緩衝させるために用いるものであれば、単品あるいは複合の種々の耐熱性の断熱材料が採用可能である。
【００６２】
熱源保持部３は、必ずしも図示のような鉄板、銅板などの金属板から形成される矩形容器に限定されない。熱源１と熱源１の受け材２とを保持可能な上方開口かつ有底の容器であれば、その他の耐熱性の構造材料が採用可能であり、円形、楕円形など、形状も種々の設計変更が可能である。
【００６３】
また、熱源１が、木炭、練炭、豆炭などの場合、熱源保持部３は、プロパンガスなどを用いた着火装置を備えて、この着火装置により、木炭、練炭、豆炭などを着火すれば、これらを他所で着火して一つ一つの熱源保持部３に運搬する炭火移しの手間が省けるので、効率の良い囲炉裏構造とすることができる。
【００６４】
側壁構造４と、食卓部５と、床部６と、座部７とは、いずれも木材等の板材に必ずしも限定されない。熱源保持部３を入れ子式に保持する上方開口の筒状の外殻構造であれば、煉瓦、陶器、金属製構造物、合板、耐熱性合成樹脂の化粧板、その他の材料の採用が可能である。
【００６５】
キャスタ６ｆ、７ｄにはアジャスタ６ｇ、７ｅが付設されることが好ましいが、このアジャスタ６ｇ、７ｅは、必須ではない。
【００６６】
また、座部７同士の間のコーナーに設ける部材は、必ずしも図示のようなコーナー部材７ｆの形状に限定されない。図５は、本発明の実施の形態に係る囲炉裏構造１０の変形例を示す斜視図である。図５に示すように、それぞれの座部７同士を相互に固定するものであれば、食材を載置するための食台７ｇや、利用者のための踏み台７ｈのようなものでも採用可能である。
【００６７】
フード８の形状も、必ずしも図示ような屋根を模した形状である必要はなく、支柱９も、竹を模した形状である必要はない。これらの形状は、囲炉裏構造１０の設置される様式に従い、種々の設計変更が可能である。
【００６８】
その他、本発明の特許請求の範囲内で種々の設計変更が可能であることはいうまでもない。
【００６９】
【発明の効果】
以上説明したように、本発明によれば、囲炉裏構造の輸送と、搬出入とを容易にすることができるだけでなく、囲炉裏構造の設置にあたって、位置決めが容易であり、また同じ囲炉裏構造がどのような場所にでも適用することができるなど、汎用性の高い安価な囲炉裏構造とすることができるという顕著な効果を奏する。さらに、排気ガスを排気するための配管が目立たず、囲炉裏構造の外観をシンプルなものにすることができるという顕著な効果を奏する。
【図面の簡単な説明】
【図１】本発明の実施の形態に係る囲炉裏構造の全体の構成を示す分解斜視図である。
【図２】本発明の実施の形態に係る囲炉裏構造のフードを除く部分の構成を示す分解斜視図である。
【図３】本発明の実施の形態に係る囲炉裏構造の排気の作用を示す斜視図である。
【図４】本発明の実施の形態に係る囲炉裏構造の側壁構造の作用を示す斜視図である。
【図５】本発明の実施の形態に係る囲炉裏構造の変形例を示す斜視図である。
【符号の説明】
１            熱源
２            受け材
３            熱源保持部
４            側壁構造
５            食卓部
５ａ        上面
６            床部
７            座部
６ｆ、７ｄ            キャスタ
８            フード
８ａ        排気ガス回収部
９            支柱
９ａ        上部開口端
９ｂ        排気口端
１０        囲炉裏構造
【図１】
2004354029.tif 000003
【図２】
2004354029.tif 000004
【図３】
2004354029.tif 000005
【図４】
2004354029.tif 000006
【図５】
2004354029.tif 000007